(57)【要約】【課題】  遮断器を強制的に遮断する指令を送出した保護装置を特定できる保護リレーシステム、及び、遮断器制御装置を提供する。【解決手段】  保護リレーシステムは、電線の電流又は電圧を計測して通信回線に送出する計測部と、電線に接続される遮断器の開閉制御を行う遮断器制御部と、通信回線を介して計測部から受信した電流又は電圧の計測値に基づいて保護演算を行い、電線における事故を検出すると、遮断器制御部に遮断器を開放させるトリップ信号を通信回線に送出する、複数の保護装置とを含む保護リレーシステムであって、トリップ信号は、当該トリップ信号を送出する保護装置を識別する識別データを含み、遮断器制御部は、識別データを含むトリップ信号を受信すると、遮断器を開放するとともに、遮断器を開放したことを表し、識別データを含む開閉状態信号を、通信回線を介して保護装置に送出する。【選択図】図１
2019161935.tif 000002
【特許請求の範囲】
【請求項１】
電線の電流又は電圧を計測して通信回線に送出する計測部と、
前記電線に接続される遮断器の開閉制御を行う遮断器制御部と、
前記通信回線を介して前記計測部及び前記遮断器制御部に接続される複数の保護装置であって、前記複数の保護装置の各々が、前記通信回線を介して前記計測部から受信した電流又は電圧の計測値に基づいて保護演算を行い、前記電線における事故を検出すると、前記遮断器制御部に前記遮断器を開放させるトリップ信号を前記通信回線に送出する、複数の保護装置と
を含む保護リレーシステムであって、
前記トリップ信号は、当該トリップ信号を送出する保護装置を識別する識別データと関連付けられて前記通信回線に送出され、
前記遮断器制御部は、前記トリップ信号を受信すると、前記遮断器を開放するとともに、前記遮断器を開放したことを表す開閉状態信号を前記識別データと関連付けて、前記通信回線を介して前記保護装置に送出する、保護リレーシステム。
【請求項２】
前記トリップ信号を送出した前記保護装置は、前記開閉状態信号を受信すると、前期開閉状態信号の前記識別データと自己の識別データが一致した場合に、自己が送出したトリップ信号によって前記遮断器制御部が前記遮断器を開放したことを表すトリップ表示を行う、請求項１記載の保護リレーシステム。
【請求項３】
前記通信回線には、
前記トリップ信号、及び前記開閉状態信号が、マルチキャスト形式の通信メッセージとして伝送される、請求項１又は２記載の保護リレーシステム。
【請求項４】
電線の電流又は電圧を計測する計測部と、前記電線における事故を検出するとトリップ信号を送出する複数の保護装置と、通信回線を介して接続された遮断器制御装置であって、
前記保護装置を識別する識別データと関連付けられた前記トリップ信号を受信すると、遮断器を開放するとともに、前記遮断器を開放したことを表す開閉状態信号に前記識別データを関連付けて、前記通信回線を介して前記保護装置に送出することを特徴とする遮断器制御装置。
【発明の詳細な説明】
【技術分野】
【０００１】
本発明は、保護リレーシステム、及び、遮断器制御装置に関する。
【背景技術】
【０００２】
従来より、電気所に設置された変電機器本体と、この変電機器本体を監視、制御および保護する装置と、前記変電機器本体を含めた電気所全体の監視制御や、遠方制御所との情報中継等を行う監視制御装置とから構成される変電機器保護制御システムにおいて、前記変電機器本体の主回路交流電気量を入力し、ディジタルデータを出力するディジタルデータ出力手段と、このディジタルデータ出力手段から出力されるディジタルデータを入力して前記変電機器本体の監視、制御および保護を行う保護制御手段と、前記保護制御手段あるいは前記監視制御装置からの指令を受けると共に、前記変電機器本体の監視、制御の少なくとも１機能を行う機器制御手段と、前記ディジタルデータ出力手段、前記保護制御手段、前記機器制御手段および前記監視制御装置間に情報伝送路を形成する通信手段とから構成され、前記ディジタルデータ出力手段、前記保護制御手段および前記機器制御手段の少なくとも一部を前記変電機器本体に組み込むかまたは前記変電機器本体の近傍に設置することを特徴とする変電機器保護制御システムがある（例えば、特許文献１参照）。
【先行技術文献】
【特許文献】
【０００３】
【特許文献１】特開２００２−３１５２３３号公報
【発明の概要】
【発明が解決しようとする課題】
【０００４】
ところで、従来の変電機器保護制御システムにおいて、保護制御手段（保護装置）が複数ある場合に、いずれの保護制御手段（保護装置）の指令によって機器制御手段の遮断器を強制的に遮断する制御が行われたかを判別することができなかった。
【０００５】
そこで、遮断器を強制的に遮断する指令を送出した保護装置を特定できる保護リレーシステム、及び、遮断器制御装置を提供することを目的とする。
【課題を解決するための手段】
【０００６】
本発明の実施の形態の保護リレーシステムは、電線の電流又は電圧を計測して通信回線に送出する計測部と、前記電線に接続される遮断器の開閉制御を行う遮断器制御部と、前記通信回線を介して前記計測部及び前記遮断器制御部に接続される複数の保護装置であって、前記複数の保護装置の各々が、前記通信回線を介して前記計測部から受信した電流又は電圧の計測値に基づいて保護演算を行い、前記電線における事故を検出すると、前記遮断器制御部に前記遮断器を開放させるトリップ信号を前記通信回線に送出する、複数の保護装置とを含む保護リレーシステムであって、前記トリップ信号は、当該トリップ信号を送出する保護装置を識別する識別データを含み、前記遮断器制御部は、前記識別データを含むトリップ信号を受信すると、前記遮断器を開放するとともに、前記遮断器を開放したことを表し、前記識別データを含む開閉状態信号を、前記通信回線を介して前記保護装置に送出する。
【発明の効果】
【０００７】
遮断器を強制的に遮断する指令を送出した保護装置を特定できる保護リレーシステム、及び、遮断器制御装置を提供することができる。
【図面の簡単な説明】
【０００８】
【図１】実施の形態の保護リレーシステム１００を示す図である。
【図２】保護装置１３０を示す図である。
【図３】保護装置１３０が生成するトリップ信号を含む通信メッセージのデータ構造を示す図である。
【図４】遮断器制御装置１２０が生成する開閉情報を含む通信メッセージのデータ構造を示す図である。
【図５】保護リレーシステム１００が保護演算を行い、電線１０における事故を検出した場合の処理を示すシーケンス図である。
【発明を実施するための形態】
【０００９】
以下、本発明の保護リレーシステム、及び、遮断器制御装置を適用した実施の形態について説明する。
【００１０】
＜実施の形態＞
図１は、実施の形態の保護リレーシステム１００を示す図である。保護リレーシステム１００は、マージングユニット１１０、遮断器制御装置１２０、及び複数の保護装置１３０を含む。保護リレーシステム１００は、複数の保護装置１３０を含むが、図１には１個のみを示す。
【００１１】
また、図１には、電線１０、ＶＴ(Voltage Transformer: 計測用変圧器)２０、ＣＴ(Current Transformer: 変流器)３０、遮断器４０、及びプロセスバス５０を示す。これらのうち、ＶＴ２０、ＣＴ３０、又は遮断器４０は、保護リレーシステム１００に含まれてもよい。
【００１２】
電線１０は、一例として変電所のような電力施設に接続される母線であり、図示しない電源システムから出力される三相交流電力を伝送する電力線である。なお、図１では、三相分のうちの１本の電線１０を示す。
【００１３】
ＶＴ２０及びＣＴ３０は、電線１０によって伝送される三相交流の電圧値及び電流値の瞬時値を計測する。実際には、三相分の電線１０のそれぞれにＶＴ２０及びＣＴ３０が設けられる。
【００１４】
遮断器４０は、電線１０に直列に挿入されており、遮断器制御装置１２０から出力される開閉制御信号によって開閉制御が行われるとともに、遮断器制御装置１２０から出力されるトリップ信号によって強制的に遮断される。
【００１５】
プロセスバス５０は、一例としてEthernet（登録商標）プロトコルで通信を行うバスであり、マージングユニット１１０、遮断器制御装置１２０、及び複数の保護装置１３０が通信可能に接続される。プロセスバス５０は、通信回線の一例である。
【００１６】
プロセスバス５０によって通信されるデータには、マルチキャストＭＡＣ(Media Access Control)アドレスが設定され、マルチキャスト形式の通信メッセージとして伝送される。マージングユニット１１０、遮断器制御装置１２０、及び複数の保護装置１３０は、自己に必要な通信メッセージをプロセスバス５０から取得する。
【００１７】
マージングユニット１１０は、計測部１１１及び通信部１１２を有する。マージングユニット１１０は、マイクロコンピュータによって実現される。計測部１１１及び通信部１１２は、マージングユニット１１０が実行するプログラムの機能（ファンクション）を機能ブロックとして示したものである。
【００１８】
計測部１１１には、ＶＴ２０及びＣＴ３０が接続される。計測部１１１は、ＶＴ２０及びＣＴ３０によって検出される電圧値及び電流値を表すアナログデータをデジタルサンプリングして計測値として通信部１１２に出力する。
【００１９】
通信部１１２は、計測値をプロセスバス５０に送出する。計測値は、マルチキャスト形式の通信メッセージとして伝送され、複数の保護装置１３０のうちの少なくともいずれか１つによって受信される。
【００２０】
遮断器制御装置１２０は、開閉制御部１２１、出力部１２２、出力制御部１２３、メモリ１２４、及び通信部１２５を有する。遮断器制御装置１２０は、遮断器制御部の一例である。
【００２１】
遮断器制御装置１２０は、マイクロコンピュータによって実現される。開閉制御部１２１、出力部１２２、出力制御部１２３、及び通信部１２５は、遮断器制御装置１２０が実行するプログラムの機能（ファンクション）を機能ブロックとして示したものである。メモリ１２４は、遮断器制御装置１２０のメモリを機能的に表したものである。
【００２２】
開閉制御部１２１は、プロセスバス５０を介して保護装置１３０から受信する開閉制御信号を遮断器４０に出力する。開閉制御信号により、遮断器４０は、開（オフ）状態又は閉（オン）状態のいずれかに切り替えられる。開閉制御信号は、例えば、メンテナンスや点検等のときに保護装置１３０から通信メッセージに格納された形で送信される。開閉制御部１２１は、遮断器４０に開閉制御信号を送信した後に、遮断器４０から開閉状態を表す開閉状態信号を受信すると、遮断器４０の開（オフ）状態又は閉（オン）状態を表す開閉情報を通信部１２５に出力する。
【００２３】
また、開閉制御部１２１は、出力部１２２からトリップ信号が入力され、かつ、遮断器４０から開（オフ）状態に切り替わったことを表す開閉状態信号を受信すると、遮断器４０が開（オフ）状態に切り替わったことを表す開閉情報を通信部１２５に出力する。開閉制御部１２１に出力部１２２からトリップ信号が入力されるのは、遮断器４０がトリップ信号によって強制的に遮断される場合である。なお、この場合に開閉制御部１２１が生成する開閉情報の詳細については後述する。
【００２４】
出力部１２２は、通信部１２５及びプロセスバス５０を介して、いずれかの保護装置１３０からトリップ信号を受信すると、開閉制御部１２１及び出力制御部１２３にトリップ信号を出力する。
【００２５】
出力制御部１２３は、出力部１２２からトリップ信号を受信すると、遮断器４０を強制的に遮断する。出力制御部１２３は、出力部１２２から入力されるトリップ信号に基づいて、遮断器４０を強制的に遮断する制御部である。
【００２６】
メモリ１２４は、遮断器制御装置１２０の識別情報や、その他に必要なデータ及びプログラム等を格納する。遮断器制御装置１２０の識別情報は、遮断器制御装置１２０に固有の識別情報である。遮断器制御装置１２０の識別情報については後述する。
【００２７】
通信部１２５は、プロセスバス５０によって伝送される通信メッセージのうち、遮断器制御装置１２０に必要な通信メッセージを受信するとともに、開閉制御部１２１が生成する開閉情報を含む通信メッセージをマルチキャスト形式の通信メッセージとしてプロセスバス５０に送出する。遮断器制御装置１２０に必要な通信メッセージは、開閉制御信号又はトリップ信号を含む通信メッセージである。通信部１２５は、開閉制御信号を含む通信メッセージを受信すると、開閉制御信号を開閉制御部１２１に出力し、トリップ信号を含む通信メッセージを受信すると、トリップ信号を出力部１２２に出力する。
【００２８】
保護装置１３０は、保護リレーシステム１００に複数含まれるが、基本的にすべて同様の構成であるため、ここでは１つの保護装置１３０について説明する。保護装置１３０は、主制御部１３１、保護演算部１３２、トリップ検出部１３３、表示部１３４、メモリ１３５、及び通信部１３６を有する。
【００２９】
保護装置１３０は、マイクロコンピュータによって実現される。主制御部１３１、保護演算部１３２、トリップ検出部１３３、表示部１３４、及び通信部１３６は、保護装置１３０が実行するプログラムの機能（ファンクション）を機能ブロックとして示したものである。メモリ１３５は、保護装置１３０のメモリを機能的に表したものである。
【００３０】
なお、保護装置１３０は、インターネット等の図示しないネットワークを介して、上位装置と通信可能に構成されていてもよい。このような上位装置は、複数の保護装置１３０の制御状況を遠隔管理する装置である。
【００３１】
主制御部１３１は、保護演算部１３２、トリップ検出部１３３、表示部１３４、及び通信部１３６が行う処理以外の処理を行う制御部であり、保護装置１３０の処理を統括する処理部である。
【００３２】
また、主制御部１３１は、メンテナンスや点検等のときに開閉制御信号を通信部１３６に出力する。開閉制御信号は、主制御部１３１が内部で生成してもよいし、メンテナンスや点検等のときに上位装置からネットワークを介して受信し、通信部１３６に出力してもよい。
【００３３】
保護演算部１３２は、プロセスバス５０から通信部１３６が受信する通信メッセージに含まれる計測値に基づいて、地絡、落雷、又は電線１０の断線等による事故が発生していないかどうかを判定する。保護演算部１３２は、計測値に基づいて、過電圧や過電流等の異常が発生していないかどうかを判定することによって、事故が発生していないかどうかを判定する。保護演算とは、保護演算部１３２が、計測値に基づいて、過電圧や過電流等の異常が発生していないかどうかを判定するである。
【００３４】
保護演算部１３２は、事故が発生していると判定すると、表示部１３４に保護動作表示を行わせるとともに、トリップ信号をトリップ検出部１３３及び通信部１３６に出力する。保護動作表示は、保護動作ＬＥＤ(Light Emitting Diode)を点灯することである。保護動作ＬＥＤは、保護装置１３０が自ら事故を検出したことを表すＬＥＤであり、事故を検出した保護装置１３０の保護動作ＬＥＤが点灯される。
【００３５】
また、トリップ信号とは、保護リレーシステム１００を非常停止することを表す信号である。換言すれば、トリップ信号とは、保護リレーシステム１００が事故の発生によって遮断器４０を強制的に遮断する指令である。
【００３６】
トリップ検出部１３３は、保護演算部１３２からトリップ信号が入力された場合に、トリップ信号と、通信部１３６から入力される開閉状態とに基づいて、表示部１３４にトリップ表示を行わせるかどうかを判定する。トリップ表示とは、表示部１３４のトリップＬＥＤを点灯させることである。
【００３７】
表示部１３４は、保護動作ＬＥＤ及びトリップＬＥＤを有し、保護動作ＬＥＤ及びトリップＬＥＤの点灯制御を行う。保護動作ＬＥＤは、保護演算部１３２によって事故が発生していると判定されたときに点灯される。トリップＬＥＤは、自己が出力したトリップ信号によって遮断器４０が遮断されたことを確認した保護装置１３０が点灯するＬＥＤである。
【００３８】
例えば、保護リレーシステム１００の管理者がトリップＬＥＤが点灯していることを確認すれば、トリップＬＥＤが点灯している保護装置１３０が出力したトリップ信号によって遮断器４０が遮断されたことを確認することができる。管理者によるトリップＬＥＤの点灯の確認は、例えば、目視で行ってもよいし、上位装置から遠隔的に行ってもよい。
【００３９】
メモリ１３５は、保護装置１３０の識別情報や、その他に必要なデータ及びプログラム等を格納する。保護装置１３０の識別情報については後述する。保護装置１３０の識別情報は、識別データの一例であり、各保護装置１３０の固有の識別情報である。
【００４０】
通信部１３６は、プロセスバス５０によって伝送される通信メッセージのうち、保護装置１３０に必要な通信メッセージを受信するとともに、保護演算部１３２が生成するトリップ信号を含む通信メッセージをマルチキャスト形式の通信メッセージとしてプロセスバス５０に送出する。保護装置１３０に必要な通信メッセージとは、計測値、開閉情報を含む通信メッセージである。
【００４１】
図２は、保護装置１３０を示す図である。保護装置１３０は、筐体１３０Ａの内部に、主制御部１３１は、保護演算部１３２、トリップ検出部１３３、表示部１３４、及び通信部１３６を実現するマイクロコンピュータを内蔵する。筐体１３０Ａからは、保護動作ＬＥＤ１３０Ａ１及びトリップＬＥＤ１３０Ａ２が表出している。このため、保護動作ＬＥＤ１３０Ａ１及びトリップＬＥＤ１３０Ａ２が点灯すると、外部から確認できる。また、保護動作ＬＥＤ１３０Ａ１及びトリップＬＥＤ１３０Ａ２の点灯状態を表す信号がネットワークを介して上位装置に送信される構成であってもよい。
【００４２】
次に、図３を用いて、遮断器４０を開放するトリップ信号を送出した保護装置１３０を特定するためのデータ構造について説明する。図３は、保護装置１３０が生成するトリップ信号を含む通信メッセージのデータ構造を示す図である。
【００４３】
保護装置１３０が生成する通信メッセージは、データ項目として、送信先ＭＡＣアドレス、ＡＰＰＩＤ（アプリケーションＩＤ(Identifier)）、及びトリップ信号を含む。送信先ＭＡＣアドレス、ＡＰＰＩＤ、及びトリップ信号は、それぞれ、01-0C-CD-01-00-01、0001、True (1)に設定される。
【００４４】
送信先ＭＡＣアドレスである01-0C-CD-01-00-01は、プロセスバス５０に接続されるすべての機器が送信先になるアドレスのうちの１つである。ＡＰＰＩＤの0001は、図１に１個示す保護装置１３０（複数の保護装置１３０のうちの１個）の識別情報であり、メモリ１３５に格納されている。トリップ信号のTrue (1)は、トリップ（緊急停止が必要な状態）が発生していることを表し、値は１である。
【００４５】
保護演算部１３２は、事故が発生していると判定すると、トリップ信号をトリップ検出部１３３及び通信部１３６に出力する。通信部１３６は、自己が含まれる保護装置１３０の識別情報をメモリ１３５から読み出し、送信先ＭＡＣアドレス、ＡＰＰＩＤ（識別情報）、及びトリップ信号を含む通信メッセージをプロセスバス５０に送出する。
【００４６】
図４は、遮断器制御装置１２０が生成する開閉情報を含む通信メッセージのデータ構造を示す図である。
【００４７】
遮断器制御装置１２０が生成する通信メッセージは、データ項目として、送信先ＭＡＣアドレス、ＡＰＰＩＤ、開閉情報、及び状態変化原因の識別情報を含む。送信先ＭＡＣアドレス、ＡＰＰＩＤ、開閉情報、及び状態変化原因の識別情報は、それぞれ、01-0C-CD-01-00-02、0102、False (0)、0001に設定される。
【００４８】
送信先ＭＡＣアドレスである01-0C-CD-01-00-02は、プロセスバス５０に接続されるすべての機器が送信先になるアドレスのうちの１つである。ＡＰＰＩＤの0102は、遮断器制御装置１２０の識別情報であり、メモリ１２４に格納されている。開閉情報のFalse (0)は、遮断器４０が遮断（開放）されていることを表し、値は０である。
【００４９】
状態変化原因の識別情報の0001は、遮断器４０を遮断したトリップ信号を出力した保護装置１３０の識別情報である。複数の保護装置１３０が僅かな期間の間に時間差を持ってトリップ信号を出力した場合には、最初に出力されたトリップ信号によって遮断器４０が遮断される。この場合に、遮断器制御装置１２０が生成する通信メッセージに含まれる状態変化原因の識別情報は、最初にトリップ信号を出力した保護装置１３０の識別情報になる。
【００５０】
なお、複数の保護装置１３０は、変電所等の内部に配置される場所や監視対象の事象に応じて優先順位に応じて時間差を持って動作するように構成されており、地絡や落雷等が発生した場合には、複数の保護装置１３０が僅かな期間の間に時間差を持ってトリップ信号を出力することになる。監視対象の事象とは、例えば、地絡、落雷、又は電線１０の断線等である。
【００５１】
図５は、保護リレーシステム１００が保護演算を行い、電線１０における事故を検出した場合の処理を示すシーケンス図である。
【００５２】
マージングユニット１１０は、保護装置１３０に対して、定期的に計測値を含む通信メッセージを送信する（ステップＳ１）。
【００５３】
また、保護装置１３０は、計測値に基づいて事故が発生していると判定すると、自己の識別情報及びトリップ信号を含む通信メッセージを遮断器制御装置１２０に出力する（ステップＳ２）。この通信メッセージは、プロセスバス５０を介して遮断器制御装置１２０に伝送され、遮断器制御装置１２０は、受信した通信メッセージに含まれるトリップ信号を遮断器４０に出力することによって、遮断器４０を遮断する。
【００５４】
また、遮断器制御装置１２０は、トリップ信号を含む通信メッセージを受信した後に、遮断器４０から開（オフ）状態に切り替わったことを表す開閉状態信号を受信すると、自己の識別情報（ＡＰＰＩＤ）と、状態変化原因の識別情報（トリップ信号の送信元の保護装置１３０の識別情報）と、遮断器４０が開（オフ）状態になったことを表す開閉情報とを含む通信メッセージを保護装置１３０に送信する（ステップＳ３）。
【００５５】
この結果、保護装置１３０は、遮断器制御装置１２０から受信した通信メッセージが含む開閉情報が、遮断器４０が開（オフ）状態になったことを表す開閉情報であるかどうかを判定し、遮断器４０が開（オフ）状態になったことを表す開閉情報である場合には、受信した通信メッセージに自己の識別情報が含まれているかどうかを判定し、含まれている場合には、トリップＬＥＤを点灯する。
【００５６】
なお、遮断器を動作させたトリップ信号の送信元の保護装置１３０以外は、遮断器制御装置１２０から受信した開閉情報（遮断器４０が開（オフ）状態になったことを表す開閉情報）を含む通信メッセージを受信しても、自己の識別情報は含まれていないため、トリップＬＥＤを点灯せずに処理を終える。
【００５７】
以上のように、保護装置１３０は、事故が発生すると、自己の識別情報及びトリップ信号を含む通信メッセージを遮断器制御装置１２０に出力する。そして、遮断器制御装置１２０によって遮断器４０が強制的に遮断される。
【００５８】
そして、遮断器制御装置１２０は、開（オフ）状態に切り替わったことを表す開閉状態信号を受信すると、トリップ信号の送信元の保護装置１３０に遮断器４０が開（オフ）状態になったことを通知するために、状態変化原因の識別情報を含む通信メッセージを保護装置１３０に送信する。状態変化原因の識別情報は、トリップ信号の送信元の保護装置１３０の識別情報である。
【００５９】
このため、トリップ信号の送信元の保護装置１３０は、受信した通信メッセージに遮断器４０が開（オフ）状態になったことを表す開閉情報と、自己の識別情報とが含まれていれば、自己が送信したトリップ信号によって、遮断器４０が遮断されたことを確認することができる。
【００６０】
従って、実施の形態によれば、遮断器４０を強制的に遮断する指令を送出した保護装置を特定できる保護リレーシステム１００、及び、遮断器制御装置１２０を提供することができる。
【００６１】
遮断器４０を強制的に遮断する指令を送出した保護装置１３０が複数の保護装置１３０のうちのいずれであるかを特定できると、複数の保護装置１３０の優先順位に基づいて、どのような事象が生じたのかを分析することができる。また、どのような事象が生じた際に、どの遮断器４０が遮断されるかを確認することができ、複数の保護装置１３０の優先順位に基づいて遮断器４０が適切に遮断されているかどうかを確認することができる。
【００６２】
なお、以上では、保護リレーシステム１００は、マージングユニット１１０及び遮断器制御装置１２０を１個ずつ含む形態について説明したが、複数の遮断器４０に対応する複数組のマージングユニット１１０及び遮断器制御装置１２０を含んでいてもよい。この場合には、複数組のマージングユニット１１０及び遮断器制御装置１２０の各組と、複数の保護装置１３０との間で、上述のように事故が発生した場合に、遮断器４０を強制的に遮断する処理が行われる。
【００６３】
また、以上では、保護リレーシステム１００は、マージングユニット１１０及び遮断器制御装置１２０の組を含む形態について説明したが、マージングユニット１１０及び遮断器制御装置１２０の組以外に、単独のマージングユニット１１０、及び／又は、単独の遮断器制御装置１２０を含んでもよい。
【００６４】
また、以上では、ＶＴ２０及びＣＴ３０で検出される電圧値及び電流値の測定値に基づいて事故の発生の有無を判定する形態について説明したが、電圧値又は電流値のどちらかで事故の発生の有無を判定してもよい。すなわち、例えば、過電圧の検出、又は、過電流の検出に基づいて事故の発生の有無を判定してもよい。
【００６５】
また、以上では、マージングユニット１１０と遮断器制御装置１２０とが別々の装置である形態について説明したが、マージングユニット１１０と遮断器制御装置１２０とは、１つのコンピュータであって、マージングユニット１１０及び遮断器制御装置１２０に対応する２つの機能を有するコンピュータによって実現されてもよい。
【００６６】
以上、本発明の例示的な実施の形態の保護リレーシステム、及び、遮断器制御装置について説明したが、本発明は、具体的に開示された実施の形態に限定されるものではなく、特許請求の範囲から逸脱することなく、種々の変形や変更が可能である。
【符号の説明】
【００６７】
１０  電線
２０  ＶＴ
３０  ＣＴ
４０  遮断器
５０  プロセスバス
１００  保護リレーシステム
１１０  マージングユニット
１１１  計測部
１１２  通信部
１２０  遮断器制御装置
１２１  開閉制御部
１２２  出力部
１２３  出力制御部
１２４  メモリ
１２５  通信部
１３０  保護装置
１３１  主制御部
１３２  保護演算部
１３３  トリップ検出部
１３４  表示部
１３５  メモリ
１３６  通信部
【図１】
2019161935.tif 000003
【図２】
2019161935.tif 000004
【図３】
2019161935.tif 000005
【図４】
2019161935.tif 000006
【図５】
2019161935.tif 000007